(57)【要約】【課題】無接点式のコード巻き取り装置において、簡単な構成で、非引出しコード部が縮径された状態から次第に拡開されていく際に、リール内で自由な状態となった非引出しコード部を座屈させずにスムーズに拡開させること。【解決手段】弾性を有する線状のばね材を渦巻状に形成したぜんまいばね９が、リール２の他側に巻回される非引出しコード部５ｂの間に配置されながら、内側端９ａがケース１の一部に取り付けられて支持されるとともに外側端９ｂがリール２の外周部２ｂに取り付けられており、縮径された状態から次第に拡開されていく際に非引出しコード部５ｂをリール２の外周側へ付勢するので、例えば引き出された引出しコード部５ａを戻す場合など非引出しコード部５ｂが縮径された状態から次第に拡開されていく際に、ケース１内で自由な状態となった非引出しコード部５ｂを座屈させずにスムーズに拡開させることができる。【選択図】図１
2010159149.tif 000002
【特許請求の範囲】
【請求項１】
ケース内にリールを中心軸で支持して回転可能且つ一方向に付勢して設置し、引出しコード部と非引出しコード部からなるコードのうちの前記非引出しコード部を、前記ケースの前記中心軸近くに設けた孔を経て前記ケース内に引き入れて巻回するとともに前記リールの外周近くに設けた孔を経て前記リールの一側から他側へ引き出し、引き出された先の引出しコード部を前記リールの他側にて巻回するように取り付けた無接点式のコード巻き取り装置において、
巻回される前記非引出しコード部の少なくとも一部を前記リールの外周側へ付勢する付勢部材を備えることを特徴とする無接点式のコード巻き取り装置。
【請求項２】
ケース内にリールを中心軸で支持して回転可能且つ一方向に付勢して設置し、前記リールに引出しコード部と非引出しコード部からなるコードを前記非引出しコード部の基端を前記中心軸近くに設けた孔を経て前記リールの一側から他側へ引き出して巻回するように取り付けた無接点式のコード巻き取り装置において、
巻回される前記非引出しコード部の少なくとも一部を前記リールの外周側へ付勢する付勢部材を備えることを特徴とする無接点式のコード巻き取り装置。
【請求項３】
請求項１または請求項２に記載の無接点式のコード巻き取り装置において、
前記付勢部材は、
弾性を有するとともに渦巻状に形成され、
巻回される前記非引出しコード部の間に配置されながら内側端が前記ケースの一部に取り付けられて支持されるとともに外側端が前記リールの外周部に取り付けられることで、その弾性により、巻回される前記非引出しコード部の少なくとも一部を前記リールの外周側へ付勢するとともに前記ケース内で前記リールを回転可能且つ前記一方向に付勢すること
を特徴とする無接点式のコード巻き取り装置。
【請求項４】
請求項１または請求項２に記載の無接点式のコード巻き取り装置において、
前記付勢部材は、
弾性を有するとともにコイル状に形成され、
前記非引出しコード部の少なくとも一部に外挿されることで、その弾性により、巻回される前記非引出しコード部のうちの当該付勢部材が外挿される部分を前記リールの外周側へ付勢すること
を特徴とする無接点式のコード巻き取り装置。
【請求項５】
請求項１または請求項２に記載の無接点式のコード巻き取り装置において、
前記付勢部材は、
弾性を有するとともに中空状に形成され、
前記非引出しコード部の少なくとも一部に外挿されることで、その弾性により、巻回される前記非引出しコード部のうちの当該付勢部材が外挿される部分を前記リールの外周側へ付勢すること
を特徴とする無接点式のコード巻き取り装置。
【発明の詳細な説明】
【技術分野】
【０００１】
本発明は、無接点式のコード巻き取り装置において、簡単な構成で、非引出しコード部が縮径された状態から次第に拡開されていく際に、リール内で自由な状態となった非引出しコード部を座屈させずにスムーズに拡開させる技術に関する。
【背景技術】
【０００２】
従来より、無接点式のコード巻き取り装置が知られている。
【０００３】
図４に例示するように、無接点式のコード巻き取り装置３００においては、ケース２０１内にリール２０２を、そのボス部２０２ａをケース２０１に設けた中心軸２０３で支持して回転可能に、且つ一方向に付勢して設置し、このリール２０２に引出しコード部２０５ａと非引出しコード部２０５ｂからなるコード２０５を、非引出しコード部２０５ｂの基端を中心軸２０３近くに設けた孔２０６を経てリール２０２の一側から他側へ引き出して巻回されている（例えば、特許文献１参照。）。
【０００４】
そして、引出しコード部２０５ａがリール２０２の一側に巻取られてケース２０１内に完全に収納された状態から引出しコード部２０５ａを矢印ａで示すように引き出すと、リール２０２が図示しないばねの付勢に抗して回転され、引出しコード部２０５ａはコード引出し口２０７から徐々に引き出される。この引出しコード部２０５ａの引出しとともに、リール２０２が矢印ｂで示すように回転され、これによりリール２０２の他側に巻回された非引出しコード部２０５ｂは縮径された状態から次第に拡開されていき、引出しコード部２０５ａが完全に引出されると、図４(ｂ)に例示するように、非引出しコード部２０５ｂが最大に拡開された状態となる。引出しコード部２０５ａが完全に引き出された後、その引出しを停止すると、リール２０２が前記ばねの付勢により逆方向へ回転するが、この回転は図示しないストッパ機構の作用により停止される。
【０００５】
一方、上述のように引き出した引出しコード部２０５ａを再びリール２０２に巻き取らせるには、引出しコード部２０５ａを再び引き出すことにより前記ストッパ機構を解除する。これによりリール２０２が前記ばねの付勢によって回転され、引出しコード部２０５ａはリール２０２に引き出し前の状態に巻き取られる。また、リール２０２に最大の拡開状態にあった非引出しコード部２０５ｂは、次第に縮径されていき、引出しコード部２０５ａが完全に巻き取られると、再び図４(ａ)に例示するような元の最小に縮径された状態となる。
【先行技術文献】
【特許文献】
【０００６】
【特許文献１】特開２００１−３０２１１３号公報（第２頁、図４）
【特許文献２】特開２００１−８９０３７号公報（第３，４頁、図２）
【発明の概要】
【発明が解決しようとする課題】
【０００７】
しかし、上述のような無接点式のコード巻き取り装置３００においては、非引出しコード部２０５ｂが縮径された状態から次第に拡開されていく際にリール２０２内で自由な状態となるため、リール２０２内で自由な状態となった非引出しコード部２０５ｂが座屈したりスムーズに拡開されなかったりするという問題があった。なお、図４（ｂ）中に、リール２０２内で自由な状態となった非引出しコード部２０５ｂが座屈した様子を一点鎖線で図示する。因みに、コードが座屈をするとその耐久性が大幅に低下して巻き取れなくなったり断線したりする原因となる。また、コードが一度座屈をすると、それ以降にコードをスムーズに巻き取れなくなる。なお、このことは、一般的に素線径の小さなコードなどの腰の弱いコードにおいて顕著となる。
【０００８】
なお、このような問題を解決するために、素線径の大きなコードを使用することも考えられるが、このような場合にはコードの最小曲げＲが大きくなることで縮径された際の非引出しコード部２０５ｂの外径寸法が大きくなり、これを収納するために装置が大型化するという問題がある。なお、引出しコード部２０５ａを電気コードとして一般的な丸コードとしたままで縮径された際の非引出しコード部２０５ｂの外径寸法を小さくするために非引出しコード部２０５ｂを平コードとすることも考えられるが（例えば、特許文献２参照。）、このような場合でも腰を強くするためにはコードの素線径を太くしたりしなければならず、コードの最小曲げＲが大きくなることで縮径された際の非引出しコード部２０５ｂの外径寸法が大きくなり、これを収納するために装置が大型化するという問題がある。また、引出しコード部２０５ａの丸コードと非引出しコード部２０５ｂの平コードとをコネクタなどを利用して電気的に結線する必要があり、部品点数および組立て工数が増大するとともに製造コストが増大するという問題がある。
【０００９】
本発明は、このような課題に鑑みなされたものであり、その目的とするところは、無接点式のコード巻き取り装置において、簡単な構成で、非引出しコード部が縮径された状態から次第に拡開されていく際に、リール内で自由な状態となった非引出しコード部を座屈させずにスムーズに拡開させることにある。
【課題を解決するための手段】
【００１０】
上記課題を解決するためになされた請求項１に係る無接点式のコード巻き取り装置（１００：この欄においては、発明に対する理解を容易にするため、必要に応じて「発明を実施するための形態」欄で用いた符号を付すが、この符号によって請求の範囲を限定することを意味するものではない。）は、ケース（１）内にリール（２）を中心軸（３）で支持して回転可能且つ一方向に付勢して設置し、引出しコード部（５ａ）と非引出しコード部（５ｂ）からなるコード（５）のうちの前記非引出しコード部を、前記ケースの前記中心軸近くに設けた孔（６ａ）を経て前記ケース内に引き入れて巻回するとともに前記リールの外周近くに設けた孔（６ｂ）を経て前記リールの一側から他側へ引き出し、引き出された先の引出しコード部を前記リールの他側にて巻回するように取り付けた無接点式のコード巻き取り装置において、巻回される前記非引出しコード部の少なくとも一部を前記リールの外周側へ付勢する付勢部材（９）を備えることを特徴とする。
【００１１】
このように構成された本発明の無接点式のコード巻き取り装置によれば、付勢部材が、非引出しコード部の少なくとも一部をリールの外周側へ付勢するので、例えば引き出された引出しコード部を戻す場合など非引出しコード部が縮径された状態から次第に拡開されていく際に、リール内で自由な状態となった非引出しコード部を座屈させずにスムーズに拡開させることができる。また、上述のように非引出しコード部の座屈を防止してスムーズに拡開させるために上述のような付勢部材を備えるだけでよく、複雑な構成を必要としない。
【００１２】
したがって、本発明の無接点式のコード巻き取り装置によれば、簡単な構成で、非引出しコード部が縮径された状態から次第に拡開されていく際に、ケース内で自由な状態となった非引出しコード部を座屈させずにスムーズに拡開させることができる。
【００１３】
また、上記課題を解決するためになされた請求項２に係る無接点式のコード巻き取り装置（２００）は、ケース（１０１）内にリール（１０２）を中心軸（１０３）で支持して回転可能且つ一方向に付勢して設置し、前記リールに引出しコード部（１０５ａ）と非引出しコード部（１０５ｂ）からなるコード（１０５）を前記非引出しコード部の基端を前記中心軸近くに設けた孔（１０６）を経て前記リールの一側から他側へ引き出して巻回するように取り付けた無接点式のコード巻き取り装置において、巻回される前記非引出しコード部の少なくとも一部を前記リールの外周側へ付勢する付勢部材（１０９）を備えることを特徴とする。
【００１４】
このように構成された本発明の無接点式のコード巻き取り装置によれば、付勢部材が、非引出しコード部の少なくとも一部をリールの外周側へ付勢するので、例えば引き出された引出しコード部を戻す場合など非引出しコード部が縮径された状態から次第に拡開されていく際に、ケース内で自由な状態となった非引出しコード部を座屈させずにスムーズに拡開させることができる。また、上述のように非引出しコード部の座屈を防止してスムーズに拡開させるために上述のような付勢部材を備えるだけでよく、複雑な構成を必要としない。
【００１５】
したがって、本発明の無接点式のコード巻き取り装置によれば、簡単な構成で、非引出しコード部が縮径された状態から次第に拡開されていく際に、リール内で自由な状態となった非引出しコード部を座屈させずにスムーズに拡開させることができる。
【００１６】
なお、付勢部材については次の（イ）〜（ハ）のような構成が考えられる。
【００１７】
（イ）すなわち、請求項３のように、付勢部材（９，１０９）が、弾性を有するとともに渦巻状に形成され、巻回される非引出しコード部の間に配置されながら内側端（９ａ，１０９ａ）がケースの一部に取り付けられて支持されるとともに外側端（９ｂ，１０９ｂ）がリールの外周部に取り付けられることで、その弾性により、巻回される非引出しコード部の少なくとも一部をリールの外周側へ付勢するとともにケース内でリールを回転可能且つ一方向に付勢することが考えられる。
【００１８】
このように構成すれば、付勢部材が、非引出しコード部の少なくとも一部をリールの外周側へ付勢するので、非引出しコード部が縮径された状態から次第に拡開されていく際に、リール内で自由な状態となった非引出しコード部を座屈させずにスムーズに拡開させることができる。また、上述のように非引出しコード部の座屈を防止してスムーズに拡開させるために上述のような付勢部材を備えるだけでよく、複雑な構成を必要としない。
【００１９】
したがって、本発明の無接点式のコード巻き取り装置によれば、簡単な構成で、非引出しコード部が縮径された状態から次第に拡開されていく際に、自由な状態となった非引出しコード部を座屈させずにスムーズに拡開させることができる。
【００２０】
この場合、非引出しコード部の少なくとも一部を前記リールの外周側へ付勢する構成とリールを回転可能に付勢する構成とを一体化するので、リールを回転可能に付勢する構成を別途備える場合に比べて、装置の厚み寸法を小さくできるという効果もある。
【００２１】
（ロ）また、請求項４のように、付勢部材（１９，１１９）が弾性を有するとともにコイル状に形成され、非引出しコード部の少なくとも一部に外挿されることで、その弾性により、巻回される非引出しコード部のうちの当該付勢部材が外挿される部分をリールの外周側へ付勢することが考えられる。
【００２２】
このように構成すれば、付勢部材が、非引出しコード部のうちの当該付勢部材が外挿される部分をリールの外周側へ付勢するので、非引出しコード部が縮径された状態から次第に拡開されていく際に、リール内で自由な状態となった非引出しコード部を座屈させずにスムーズに拡開させることができる。また、上述のように非引出しコード部の座屈を防止してスムーズに拡開させるために上述のような付勢部材を備えるだけでよく、複雑な構成を必要としない。
【００２３】
したがって、本発明の無接点式のコード巻き取り装置によれば、簡単な構成で、非引出しコード部が縮径された状態から次第に拡開されていく際に、自由な状態となった非引出しコード部を座屈させずにスムーズに拡開させることができる。
【００２４】
（ハ）また、請求項５のように、付勢部材（２９，１２９）が、弾性を有するとともに中空状に形成され、非引出しコード部の少なくとも一部に外挿されることで、その弾性により、巻回される非引出しコード部のうちの当該付勢部材が外挿される部分をリールの外周側へ付勢することが考えられる。
【００２５】
このように構成すれば、付勢部材が、非引出しコード部のうちの当該付勢部材が外挿される部分をリールの外周側へ付勢するので、非引出しコード部が縮径された状態から次第に拡開されていく際に、リール内で自由な状態となった非引出しコード部を座屈させずにスムーズに拡開させることができる。また、上述のように非引出しコード部の座屈を防止してスムーズに拡開させるために上述のような付勢部材を備えるだけでよく、複雑な構成を必要としない。
【００２６】
したがって、本発明の無接点式のコード巻き取り装置によれば、簡単な構成で、非引出しコード部が縮径された状態から次第に拡開されていく際に、自由な状態となった非引出しコード部を座屈させずにスムーズに拡開させることができる。
【図面の簡単な説明】
【００２７】
【図１】第一実施形態の無接点式のコード巻き取り装置を示し、(ａ)は非引出しコード部が拡開状態で現れた平面図であり、(ｂ)は非引出しコード部が縮径状態で現れた平面図である。
【図２】(ａ)は他の実施形態の無接点式のコード巻き取り装置の付勢部材としてのコイルばねを外挿し、カバーで被覆した非引出コード部を示し、(ｂ)は他の実施形態の無接点式のコード巻き取り装置の付勢部材としてのチューブを外挿した非引出コード部を示す。
【図３】第二実施形態の無接点式のコード巻き取り装置を示し、(ａ)は非引出しコード部が拡開状態で現れた平面図であり、(ｂ)は非引出しコード部が縮径状態で現れた平面図である。
【図４】従来の無接点式のコード巻き取り装置を示し、(ａ)は非引出しコード部が縮径状態で現れた平面図であり、(ｂ)は非引出しコード部が拡開状態で現れた平面図であり、非引出しコード部が座屈した様子を示す。
【発明を実施するための形態】
【００２８】
以下に本発明の実施形態を図面とともに説明する。
［１．第一実施形態］
図１は、実施形態の無接点式のコード巻き取り装置１００を示し、(ａ)は非引出しコード部が縮径状態で現れた平面図であり、(ｂ)は非引出しコード部が拡開状態で現れた平面図である。
【００２９】
［１．１．無接点式のコード巻き取り装置１００の構成の説明］
図１に示すように、無接点式のコード巻き取り装置１００は、ケース１内にリール２を中心軸３で支持して回転可能に設置し、引出しコード部５ａと非引出しコード部５ｂからなるコード５のうちの非引出しコード部５ｂを、ケース１の中心軸３近くに設けた孔６ａを経てケース１内に引き入れて正面から見て右巻きに巻回するとともに、リール２の外周部２ｂ近くに設けた孔６ｂを経てリール２の一側（図の手前側）から他側（図の向こう側）へ引き出し、引き出された先の引出しコード部５ａをリール２の円筒状のドラム２ｃに正面から見て右巻きに巻回した構成を有している。なお、図１（ａ）ではドラム２ｃの図示を省略している。また、図１（ｂ）では引出しコード部５ａの右巻きされている部分を破線で図示している。また、コード引出し口７は引出しコード部５ａを引き出すための開口部である。
【００３０】
そして、ケース１内に巻回された非引出しコード部５ｂの間には、付勢部材としてのぜんまいばね９が配置されている。このぜんまいばね９は、弾性を有する線状のばね材を渦巻状に形成しており、リール２に巻回される非引出しコード部５ｂの間に配置されながら正面から見て右巻きされ、内側端９ａがケース１の一部に取り付けられて支持されるとともに外側端９ｂがリール２の外周部２ｂに取り付けられている。このことにより、ぜんまいばね９は、リール２を正面から見て右回りに付勢する。なお、本実施形態では、ぜんまいばね９の内側端９ａがケース１の一部としての中心軸３に取り付けられている。
【００３１】
［１．２．無接点式のコード巻き取り装置１００の動作の説明］
次に、本実施形態の無接点式のコード巻き取り装置１００の動作を、図１を参照しながら説明する。
【００３２】
図１（ａ）に示すように、引出しコード部５ａがリール２の一側に巻取られてケース１内に完全に収納された状態から引出しコード部５ａを矢印ａで示すように引き出すと、リール２がぜんまいばね９の付勢力に抗して回転され、引出しコード部５ａはコード引出し口７から徐々に引き出される。このとき、ぜんまいばね９が拡開された状態から次第に縮径されていく。この引出しコード部５ａの引出しとともに、リール２が矢印ｂで示す方向に回転され、これにより、拡開された状態から次第に縮径されていくぜんまいばね９に押されながら、巻回された非引出しコード部５ｂも同様に拡開された状態から次第に縮径されていく。引出しコード部５ａが完全に引出されると、図１(ｂ)に例示するように、非引出しコード部５ｂが最も縮径された状態となる。なお、引出しコード部５ａが完全に引き出された後、その引出しを停止すると、リール２がぜんまいばね９の付勢力により、引出しコード部５ａの引き出し時とは逆方向へ付勢される。
【００３３】
一方、上述のように引き出した引出しコード部５ａを引く力を弱めると、矢印ｄで示すように、リール２がぜんまいばね９の付勢によって逆方向に回転され、引出しコード部５ａが矢印ｃで示す方向に移動してリール２に引き出し前の状態に巻き取られる。このとき、ぜんまいばね９が縮径された状態から次第に拡開されていく。また、最も縮径された状態にあった非引出しコード部５ｂが、縮径された状態から次第に拡開されていくぜんまいばね９に押されて次第に拡開されていく。したがって、ケース１内で自由な状態となった非引出しコード部５ｂを座屈させずにスムーズに拡開させることができる。そして、引出しコード部５ａが完全に巻き取られると、非引出しコード部５ｂが再び図１(ａ)に例示するような最大に拡開された状態となる。
【００３４】
［１．３．効果］
（１）このように本実施形態の無接点式のコード巻き取り装置１００によれば、弾性を有する線状のばね材を渦巻状に形成したぜんまいばね９が、巻回される非引出しコード部５ｂの間に配置されながら、内側端９ａがケース１の一部に取り付けられて支持されるとともに外側端９ｂがリール２の外周部２ｂに取り付けられており、縮径された状態から次第に拡開されていく際に非引出しコード部５ｂをリール２の外周側へ付勢するので、例えば引き出された引出しコード部５ａを戻す場合など非引出しコード部５ｂが縮径された状態から次第に拡開されていく際に、ケース１内で自由な状態となった非引出しコード部５ｂを座屈させずにスムーズに拡開させることができる。また、上述のように非引出しコード部の座屈を防止してスムーズに拡開させるために上述のようなぜんまいばね９を備えるだけでよく、複雑な構成を必要としない。したがって、簡単な構成で、非引出しコード部５ｂが縮径された状態から次第に拡開されていく際に、ケース１内で自由な状態となった非引出しコード部５ｂを座屈させずにスムーズに拡開させることができる。
【００３５】
（２）また、本実施形態の無接点式のコード巻き取り装置１００によれば、ぜんまいばね９を備えることにより、非引出しコード部５ｂをリール２の外周側へ付勢する構成とリール２を回転可能に付勢する構成とを一体化するので、リール２を回転可能に付勢する構成を別途備える場合に比べて、当該無接点式のコード巻き取り装置１００の厚み寸法を小さくできるという効果もある。
【００３６】
［１．４．他の実施形態］
以上、本発明の一実施形態について説明したが、本発明は上記実施形態に限定されるものではなく、以下のような様々な態様にて実施することが可能である。
【００３７】
（１）上記実施形態では、巻回された非引出しコード部５ｂの間に、付勢部材としてのぜんまいばね９を配置しているが、これには限られず、図２（ａ）に例示するように、付勢部材としてのコイルばね１９が非引出しコード部５ｂに外挿されるように構成してもよい。なお、コイルばね１９は弾性を有するとともにコイル状に形成されている。そして、コイルばね１９が外挿された非引出しコード部５ｂを中空状のカバー２０で被覆することにより、コイルばね１９を非引出しコード部５ｂに固定する。
【００３８】
このことにより、コイルばね１９が、その弾性により、巻回される非引出しコード部５ｂのうちの当該コイルばね１９が外挿される部分をリール２の外周側へ付勢する。したがって、上記実施形態と同様に、簡単な構成で、非引出しコード部５ｂが縮径された状態から次第に拡開されていく際に、ケース１内で自由な状態となった非引出しコード部５ｂを座屈させずにスムーズに拡開させることができる。
【００３９】
（２）上記実施形態では、巻回された非引出しコード部５ｂの間に、付勢部材としてのぜんまいばね９を配置しているが、これには限られず、図２（ｂ）に例示するように、付勢部材としてのチューブ２９が非引出しコード部５ｂに外挿されるように構成してもよい。なお、チューブ２９は、弾性を有するとともに中空状に形成されている。
【００４０】
このことにより、チューブ２９が、その弾性により、巻回される非引出しコード部５ｂのうちの当該チューブ２９が外挿される部分をリール２の外周側へ付勢する。なお、本実施形態の場合、チューブ２９を非引出しコード部５ｂに固定するための構成を必要としない。したがって、上記実施形態と同様に、簡単な構成で、非引出しコード部５ｂが縮径された状態から次第に拡開されていく際に、ケース１内で自由な状態となった非引出しコード部５ｂを座屈させずにスムーズに拡開させることができる。
［２．第二実施形態］
図３は、第二実施形態の無接点式のコード巻き取り装置２００を示し、(ａ)は非引出しコード部が縮径状態で現れた平面図であり、(ｂ)は非引出しコード部が拡開状態で現れた平面図である。
【００４１】
［２．１．無接点式のコード巻き取り装置２００の構成の説明］
図３に示すように、無接点式のコード巻き取り装置２００は、ケース１０１内にリール１０２を、そのボス部１０２ａをケース１０１に設けた中心軸１０３で支持して回転可能に、且つ一方向に付勢して設置し、このリール１０２に引出しコード部１０５ａと非引出しコード部１０５ｂからなるコード１０５を、非引出しコード部１０５ｂの基端を中心軸１０３近くに設けた孔１０６を経てリール１０２の一側（図の向こう側）から他側（図の手前側）へ引き出して巻回した構成を有している。なお、引出しコード部１０５ａは、リール１０２に正面から見て左巻きされている。なお、図３では引出しコード部１０５ａの左巻きされている部分の図示を省略している。一方、非引出しコード部１０５ｂは、リール１０２に正面から見て右巻きされている。したがって、引出しコード部１０５ａと非引出しコード部１０５ｂとは互いに逆方向に巻回されている。また、コード引出し口１０７は引出しコード部１０５ａを引き出すための開口部である。また、コード取出し口１０８は非引出しコード部１０５ｂを取り出すための開口部である。
【００４２】
そして、リール１０２に巻回された非引出しコード部１０５ｂの間には、付勢部材としてのぜんまいばね１０９が配置されている。このぜんまいばね１０９は、弾性を有する線状のばね材を渦巻状に形成しており、リール１０２に巻回される非引出しコード部１０５ｂの間に配置されながら正面から見て右巻きされ、内側端１０９ａがケース１０１の一部に取り付けられて支持されるとともに外側端１０９ｂがリール１０２の外周部１０２ｂに取り付けられている。このことにより、ぜんまいばね１０９は、リール１０２を正面から見て右回りに付勢する。なお、本実施形態では、ぜんまいばね１０９の内側端１０９ａがケース１０１の一部としての中心軸１０３に取り付けられている。
【００４３】
［２．２．無接点式のコード巻き取り装置２００の動作の説明］
次に、本実施形態の無接点式のコード巻き取り装置２００の動作を、図３を参照しながら説明する。
【００４４】
図３（ａ）に示すように、引出しコード部１０５ａがリール１０２に巻取られてケース１０１内に完全に収納された状態から引出しコード部１０５ａを矢印ａで示す方向に引き出すと、リール１０２がぜんまいばね１０９の付勢に抗して回転され、引出しコード部１０５ａはコード引出し口１０７から徐々に引き出される。このとき、ぜんまいばね１０９が拡開された状態から次第に縮径されていく。この引出しコード部１０５ａの引出しとともに、リール１０２が矢印ｂで示す方向に回転され、これにより、拡開された状態から次第に縮径されていくぜんまいばね１０９に押されながら、リール１０２に巻回された非引出しコード部１０５ｂも同様に拡開された状態から次第に縮径されていく。引出しコード部１０５ａが完全に引出されると、図３(ｂ)に例示するように、非引出しコード部１０５ｂが最も縮径された状態となる。なお、引出しコード部１０５ａが完全に引き出された後、その引出しを停止すると、リール１０２がぜんまいばね１０９の付勢力により、引出しコード部１０５ａの引き出し時とは逆方向へ付勢される。
【００４５】
一方、上述のように引き出した引出しコード部１０５ａを引く力を弱めると、矢印ｄで示すようにリール１０２がぜんまいばね１０９の付勢によって逆方向に回転され、引出しコード部１０５ａが矢印ｃで示す方向に移動してリール１０２に引き出し前の状態に巻き取られる。このとき、ぜんまいばね１０９が次第に拡開されていく。また、最も縮径された状態にあった非引出しコード部１０５ｂが、縮径された状態から次第に拡開されていくぜんまいばね１０９に押されて次第に拡開されていく。したがって、リール１０２内で自由な状態となった非引出しコード部１０５ｂを座屈させずにスムーズに拡開させることができる。そして、引出しコード部１０５ａが完全に巻き取られると、非引出しコード部１０５ｂが再び図３(ａ)に例示するような最大に拡開された状態となる。
【００４６】
［２．３．効果］
（１）このように本実施形態の無接点式のコード巻き取り装置２００によれば、弾性を有する線状のばね材を渦巻状に形成したぜんまいばね１０９が、リール１０２の他側に巻回される非引出しコード部１０５ｂの間に配置されながら、内側端１０９ａがケース１の一部に取り付けられて支持されるとともに外側端１０９ｂがリール１０２の外周部１０２ｂに取り付けられており、縮径された状態から次第に拡開されていく際に非引出しコード部１０５ｂをリール１０２の外周側へ付勢するので、例えば引き出された引出しコード部５ａを戻す場合など非引出しコード部１０５ｂが縮径された状態から次第に拡開されていく際に、リール１０２内で自由な状態となった非引出しコード部１０５ｂを座屈させずにスムーズに拡開させることができる。また、上述のように非引出しコード部１０５ｂの座屈を防止してスムーズに拡開させるために上述のようなぜんまいばね１０９を備えるだけでよく、複雑な構成を必要としない。したがって、簡単な構成で、非引出しコード部１０５ｂが縮径された状態から次第に拡開されていく際に、リール１０２内で自由な状態となった非引出しコード部１０５ｂを座屈させずにスムーズに拡開させることができる。
【００４７】
（２）また、本実施形態の無接点式のコード巻き取り装置２００によれば、ぜんまいばね１０９を備えることにより、非引出しコード部１０５ｂをリール１０２の外周側へ付勢する構成とリール１０２を回転可能に付勢する構成とを一体化するので、リール１０２を回転可能に付勢する構成を別途備える場合に比べて、当該無接点式のコード巻き取り装置２００の厚み寸法を小さくできるという効果もある。
【００４８】
［２．４．他の実施形態］
以上、本発明の一実施形態について説明したが、本発明は上記実施形態に限定されるものではなく、以下のような様々な態様にて実施することが可能である。
【００４９】
（１）上記実施形態では、リール１０２に巻回された非引出しコード部１０５ｂの間に、付勢部材としてのぜんまいばね１０９を配置しているが、これには限られず、図２（ａ）に例示するように、付勢部材としてのコイルばね１１９が非引出しコード部１０５ｂに外挿されるように構成してもよい。なお、コイルばね１１９は弾性を有するとともにコイル状に形成されている。そして、コイルばね１１９が外挿された非引出しコード部１０５ｂを中空状のカバー１２０で被覆することにより、コイルばね１１９を非引出しコード部１０５ｂに固定する。
【００５０】
このことにより、コイルばね１１９が、その弾性により、巻回される非引出しコード部１０５ｂのうちの当該コイルばね１１９が外挿される部分をリール１０２の外周側へ付勢する。したがって、上記実施形態と同様に、簡単な構成で、非引出しコード部１０５ｂが縮径された状態から次第に拡開されていく際に、リール１０２内で自由な状態となった非引出しコード部１０５ｂを座屈させずにスムーズに拡開させることができる。
【００５１】
（２）上記実施形態では、リール１０２に巻回された非引出しコード部１０５ｂの間に、付勢部材としてのぜんまいばね１０９を配置しているが、これには限られず、図２（ｂ）に例示するように、付勢部材としてのチューブ１２９が非引出しコード部１０５ｂに外挿されるように構成してもよい。なお、チューブ１２９は、弾性を有するとともに中空状に形成されている。
【００５２】
このことにより、チューブ１２９が、その弾性により、巻回される非引出しコード部１０５ｂのうちの当該チューブ１２９が外挿される部分をリール１０２の外周側へ付勢する。なお、本実施形態の場合、チューブ１２９を非引出しコード部１０５ｂに固定するための構成を必要としない。したがって、上記実施形態と同様に、簡単な構成で、非引出しコード部１０５ｂが縮径された状態から次第に拡開されていく際に、リール１０２内で自由な状態となった非引出しコード部１０５ｂを座屈させずにスムーズに拡開させることができる。
【符号の説明】
【００５３】
１…ケース、２…リール、２ｂ…リールの外周部、２ｃ…ドラム、３…中心軸、５…コード、５ａ…引出しコード部、５ｂ…非引出しコード部、６ａ，６ｂ…孔、７…コード引出し口、９…ぜんまいばね、９ａ…ぜんまいばねの内側端、９ｂ…ぜんまいばねの外側端、１９…コイルばね、２０…カバー、２９…チューブ、１００…無接点式のコード巻き取り装置、１０１…ケース、１０２…リール、１０２ａ…リールのボス部、１０２ｂ…リールの外周部、１０３…中心軸、１０５…コード、１０５ａ…引出しコード部、１０５ｂ…非引出しコード部、１０６…孔、１０７…コード引出し口、１０８…コード取出し口、１０９…ぜんまいばね、１０９ａ…ぜんまいばねの内側端、１０９ｂ…ぜんまいばねの外側端、２００…無接点式のコード巻き取り装置、２０１…ケース、２０２…リール、２０２ａ…リールのボス部、２０３…中心軸、２０５…コード、２０５ａ…引出しコード部、２０５ｂ…非引出しコード部、２０６…孔、２０７…コード引出し口、２０８…コード取出し口、３００…従来の無接点式のコード巻き取り装置
【図１】
2010159149.tif 000003
【図２】
2010159149.tif 000004
【図３】
2010159149.tif 000005
【図４】
2010159149.tif 000006